(57)【要約】      （修正有）【課題】スピーディに着脱すると同時に、車内の天井に安全で長時間固定設置される携帯用車載フリップダウン式マルチメディアプレイヤー装置の提供。【解決手段】携帯用車載フリップダウン式マルチメディアプレイヤー装置は、フリップダウン台、着脱構造、マルチメディア装置を含み、そのうち、フリップダウン台は、車内の天井部に固定し、離脱ボタン、回転軸、掛合い部品及び納置空間を具える。着脱構造は、上合わせ板、停止部品、連動部品及び下合わせ板を具え、下合わせ板には穿孔が貫設され、両側には掛合い部が設置される。停止部品と連動部品は下合わせ板と上合わせ板の間に設置し、下合わせ板の上合わせ板と固定する位置に軸孔を設置することにより、上述の回転軸と相互に枢設する。【選択図】図１
0003124281.tif 000002
【実用新案登録請求の範囲】
【請求項１】
主にフリップダウン台、着脱構造、マルチメディア装置から構成された携帯用車載フリップダウン式マルチメディアプレイヤー装置において、
フリップダウン台は、車内の天井部に固定し、離脱ボタン、回転軸、掛合い部品及び納置空間を具え、そのうち、離脱ボタンは押圧桿を含み、掛合い部品は掛合い端を含むもので、
着脱構造は、上合わせ板、停止部品、連動部品及び下合わせ板を具え、そのうち、下合わせ板には穿孔が貫設され、両側には掛合い部が設置され、停止部品と連動部品は下合わせ板と上合わせ板の間に設置し、下合わせ板の上合わせ板と固定する位置に軸孔を設置することにより、上述の回転軸と相互に枢設し、他に停止部品には穿孔に差し込む停止部を設置し、また上滑塊を設置し、連動部品は、上述の押圧桿に連動する辺桿、及び上滑塊下方に相対して設置する下滑塊を具え、連動部品が離脱ボタンに連動し、左右に位置移動し、下滑塊が上滑塊を上下に移動させ停止部を上下に作動するもので、
マルチメディア装置は背面両側に掛合い凹槽及び掛合い凸部を具え、背面最上側に停止槽を具え、背面底側に嵌合槽を具え、掛合い部が掛合い凹槽を経て掛合い凸部に固定し、停止部は穿孔に差込み、停止槽上で止め、掛合い端と嵌合槽の結合により、マルチメディア装置をフリップダウン台の納置空間内にスピーディに固定したり、外したりすることを特徴とする携帯用車載フリップダウン式マルチメディアプレイヤー装置。
【請求項２】
請求項１記載の携帯用車載フリップダウン式マルチメディアプレイヤー装置において、前記フリップダウン台は、納置槽を設置し、その納置槽内にバネを設置し、別に掛合い部品に凸槽及び傾斜塊を設置し、凸槽は納置槽の外に被せ、且つ一端はバネと接触するもので、フリップダウン台上には手押し部品を軸設し、その手押し部品には凸槽を入れる通孔を貫設し、傾斜塊を押す押止端を設置し、手押し部品の一端をフリップダウン台上に軸設し、押止端は下向きに移動して傾斜塊を押し、掛合い部品がバネを圧縮し、掛合い端が移動して嵌合槽を離すことを特徴とする携帯用車載フリップダウン式マルチメディアプレイヤー装置。
【請求項３】
請求項１記載の携帯用車載フリップダウン式マルチメディアプレイヤー装置において、前記フリップダウン台は、納置孔を設置し、離脱ボタンの位置移動を制限することを特徴とする携帯用車載フリップダウン式マルチメディアプレイヤー装置。
【請求項４】
請求項１記載の携帯用車載フリップダウン式マルチメディアプレイヤー装置において、前記フリップダウン台は、レール孔を設置し、レール孔内に押さえ部品を設置し、その押さえ部品はレール孔を制限して左に移動させ、離脱ボタンの位置移動を妨げることを特徴とする携帯用車載フリップダウン式マルチメディアプレイヤー装置。
【請求項５】
請求項１記載の携帯用車載フリップダウン式マルチメディアプレイヤー装置において、前記上合わせ板は、離脱孔を具え、離脱ボタンの押圧桿を差し込み、辺桿に対応することを特徴とする携帯用車載フリップダウン式マルチメディアプレイヤー装置。
【請求項６】
請求項１記載の携帯用車載フリップダウン式マルチメディアプレイヤー装置において、前記フリップダウン台は、デジタル無線信号受発信器を設置することを特徴とする携帯用車載フリップダウン式マルチメディアプレイヤー装置。
【請求項７】
請求項１記載の携帯用車載フリップダウン式マルチメディアプレイヤー装置において、前記フリップダウン台は、装飾板を設置することを特徴とする携帯用車載フリップダウン式マルチメディアプレイヤー装置。
【請求項８】
請求項１記載の携帯用車載フリップダウン式マルチメディアプレイヤー装置において、前記マルチメディア装置は、液晶モニターを設置することを特徴とする携帯用車載フリップダウン式マルチメディアプレイヤー装置。
【請求項９】
請求項１記載の携帯用車載フリップダウン式マルチメディアプレイヤー装置において、前記マルチメディア装置は、ディスク差込槽（ＣＤ、ＶＣＤ、ＤＶＤ光ディスク差込槽）を設置することを特徴とする携帯用車載フリップダウン式マルチメディアプレイヤー装置。
【請求項１０】
請求項１記載の携帯用車載フリップダウン式マルチメディアプレイヤー装置において、前記マルチメディア装置は、保存装置（ハードディスク）を設置することを特徴とする携帯用車載フリップダウン式マルチメディアプレイヤー装置。
【請求項１１】
請求項１記載の携帯用車載フリップダウン式マルチメディアプレイヤー装置において、前記マルチメディア装置は、側辺に信号伝送孔（ＵＳＢコネクター、ＩＥＥＥ１３９４コネクター、メモリーカードコネクター、電源コネクター、映像コネクターもしくは音声コネクター）を設置することを特徴とする携帯用車載フリップダウン式マルチメディアプレイヤー装置。
【請求項１２】
請求項１記載の携帯用車載フリップダウン式マルチメディアプレイヤー装置において、前記マルチメディア装置は、支持片を具え、その支持片はレールを具えることを特徴とする携帯用車載フリップダウン式マルチメディアプレイヤー装置。
【請求項１３】
請求項１２記載の携帯用車載フリップダウン式マルチメディアプレイヤー装置において、前記マルチメディア装置は、電池コネクターを設置して電池で電気連接することを特徴とする携帯用車載フリップダウン式マルチメディアプレイヤー装置。
【考案の詳細な説明】
【技術分野】
【０００１】
本考案は、携帯用車載フリップダウン(Flip down)式マルチメディアプレイヤー装置に関するもので、スピーディに着脱すると同時に、車内の天井に安全で長時間固定設置されるものである。
【背景技術】
【０００２】
現在、車載のフリップダウン式マルチメディアプレイヤー装置は、特許文献１に、ＤＶＤディスクプレーヤーとフリップダウン式液晶テレビを一体にした構造であり、使用時の便利性を高め、後座席の人も自分で操作できる。しかし、この考案には問題点があり、例として、郊外へ車で出かけ、目的地に着いて車を止め、車内に設置してあるフリップダウン式マルチメディアプレイヤーを外して外で使用するには、携帯式もしくは卓上式のマルチメディアプレイヤーを別に買わなければならない。
【０００３】
目下市場の携帯用車載フリップダウン式マルチメディアプレイヤー装置の技術は、すべて長年克服できなかった問題で、それはスピーディな着脱、乗客の安全を同時に具えなければならない。一般にスピーディな着脱の技術実施方法はたくさんあり、比較的簡単に達成できる。しかし、スピーディな着脱を達成すると、車内天井部に長時間安全に設置するという問題を考慮しなければならない。特許文献２は、スピーディに装置を着脱することを目的としている。但しフリップダウン台上に押しボタンが設置され、作動桿に掛合いした掛合い端でマルチメディア装置を固定する掛合い孔を制御し、スピーディな着脱の目的を達成している。そのため、安全上問題がある。その主な原因は、作動桿を掛合いしている掛合い端がマルチメディア装置をその上で回転させ、マルチメディア装置を随時離せる様にしている。故に作動桿を掛合いしている掛合い端は、マルチメディア装置の掛合い孔を設置することができないので、車がぶつかり、使用時間が長くなり弾性疲労した場合、作動桿を掛合いしている掛合い端は定位できなくなり、マルチメディア装置がフリップダウン台から落ち、乗客に危険が及ぶ。
【０００４】
【特許文献１】台湾特許第５０１８５５号明細書
【特許文献２】台湾特許第Ｍ２８１８４５号明細書
【考案の開示】
【考案が解決しようとする課題】
【０００５】
本考案の主な目的は、公知の問題を改善し、回転軸と着脱構造を枢設した着脱構造を長期、且つ安定して固定する。この他、着脱構造の掛合い部と停止部品により、マルチメディア装置をしっかりと掛合いして固定し、マルチメディア装置とフリップダウン台がスピーディで安全に固定される。また離脱ボタンを押すと、マルチメディア装置が即座にフリップダウン台から離れ、別の場所において使用する。
【０００６】
上述の目的を達成するため、本考案の携帯用車載フリップダウン式マルチメディアプレイヤー装置は、下述を含む。
フリップダウン台は、車内の天井部に固定し、離脱ボタン、回転軸、掛合い部品及び納置空間を具え、そのうち、離脱ボタンは押圧桿を含み、掛合い部品は掛合い端を含む。
【０００７】
着脱構造は、上合わせ板、停止部品、連動部品及び下合わせ板を具え、そのうち、下合わせ板には穿孔が貫設され、両側には掛合い部が設置される。停止部品と連動部品は下合わせ板と上合わせ板の間に設置し、下合わせ板の上合わせ板と固定する位置に軸孔を設置することにより、上述の回転軸と相互に枢設する。他に停止部品には穿孔に差し込む停止部を設置し、また上滑塊を設置し、連動部品は、上述の押圧桿に連動する辺桿、及び上滑塊下方に相対して設置する下滑塊を具え、連動部品が離脱ボタンに連動し、左右に位置移動し、下滑塊が上滑塊を上下に移動させ、停止部を上下に作動する。
【０００８】
マルチメディア装置は背面両側に掛合い凹槽及び掛合い凸部を具え、背面最上側に停止槽を具え、背面底側に嵌合槽を具え、掛合い部が掛合い凹槽を経て掛合い凸部に固定し、停止部は穿孔に差込み、停止槽上で止め、掛合い端と嵌合槽の結合により、マルチメディア装置をフリップダウン台の納置空間内にスピーディに固定したり、外したりする。
【課題を解決するための手段】
【０００９】
請求項１の考案は、主にフリップダウン台、着脱構造、マルチメディア装置から構成された携帯用車載フリップダウン式マルチメディアプレイヤー装置において、
フリップダウン台は、車内の天井部に固定し、離脱ボタン、回転軸、掛合い部品及び納置空間を具え、そのうち、離脱ボタンは押圧桿を含み、掛合い部品は掛合い端を含むもので、
着脱構造は、上合わせ板、停止部品、連動部品及び下合わせ板を具え、そのうち、下合わせ板には穿孔が貫設され、両側には掛合い部が設置され、停止部品と連動部品は下合わせ板と上合わせ板の間に設置し、下合わせ板の上合わせ板と固定する位置に軸孔を設置することにより、上述の回転軸と相互に枢設し、他に停止部品には穿孔に差し込む停止部を設置し、また上滑塊を設置し、連動部品は、上述の押圧桿に連動する辺桿、及び上滑塊下方に相対して設置する下滑塊を具え、連動部品が離脱ボタンに連動し、左右に位置移動し、下滑塊が上滑塊を上下に移動させ、停止部を上下に作動するもので、
マルチメディア装置は背面両側に掛合い凹槽及び掛合い凸部を具え、背面最上側に停止槽を具え、背面底側に嵌合槽を具え、掛合い部が掛合い凹槽を経て掛合い凸部に固定し、停止部は穿孔に差込み、停止槽上で止め、掛合い端と嵌合槽の結合により、マルチメディア装置をフリップダウン台の納置空間内にスピーディに固定したり、外したりすることを特徴とする携帯用車載フリップダウン式マルチメディアプレイヤー装置としている。
請求項２の考案は、請求項１記載の携帯用車載フリップダウン式マルチメディアプレイヤー装置において、前記フリップダウン台は、納置槽を設置し、その納置槽内にバネを設置し、別に掛合い部品に凸槽及び傾斜塊を設置し、凸槽は納置槽の外に被せ、且つ一端はバネと接触するもので、フリップダウン台上には手押し部品を軸設し、その手押し部品には凸槽を入れる通孔を貫設し、傾斜塊を押す押止端を設置し、手押し部品の一端をフリップダウン台上に軸設し、押止端は下向きに移動して傾斜塊を押し、掛合い部品がバネを圧縮し、掛合い端が移動して嵌合槽を離すことを特徴とする携帯用車載フリップダウン式マルチメディアプレイヤー装置としている。
請求項３の考案は、請求項１記載の携帯用車載フリップダウン式マルチメディアプレイヤー装置において、前記フリップダウン台は、納置孔を設置し、離脱ボタンの位置移動を制限することを特徴とする携帯用車載フリップダウン式マルチメディアプレイヤー装置としている。
請求項４の考案は、請求項１記載の携帯用車載フリップダウン式マルチメディアプレイヤー装置において、前記フリップダウン台は、レール孔を設置し、レール孔内に押さえ部品を設置し、その押さえ部品はレール孔を制限して左に移動させ、離脱ボタンの位置移動を妨げることを特徴とする携帯用車載フリップダウン式マルチメディアプレイヤー装置としている。
請求項５の考案は、請求項１記載の携帯用車載フリップダウン式マルチメディアプレイヤー装置において、前記上合わせ板は、離脱孔を具え、離脱ボタンの押圧桿を差し込み、辺桿に対応することを特徴とする携帯用車載フリップダウン式マルチメディアプレイヤー装置としている。
請求項６の考案は、請求項１記載の携帯用車載フリップダウン式マルチメディアプレイヤー装置において、前記フリップダウン台は、デジタル無線信号受発信器を設置することを特徴とする携帯用車載フリップダウン式マルチメディアプレイヤー装置としている。
【００１０】
請求項７の考案は、請求項１記載の携帯用車載フリップダウン式マルチメディアプレイヤー装置において、前記フリップダウン台は、装飾板を設置することを特徴とする携帯用車載フリップダウン式マルチメディアプレイヤー装置としている。
請求項８の考案は、請求項１記載の携帯用車載フリップダウン式マルチメディアプレイヤー装置において、前記マルチメディア装置は、液晶モニターを設置することを特徴とする携帯用車載フリップダウン式マルチメディアプレイヤー装置としている。
請求項９の考案は、請求項１記載の携帯用車載フリップダウン式マルチメディアプレイヤー装置において、前記マルチメディア装置は、ディスク差込槽（ＣＤ、ＶＣＤ、ＤＶＤ光ディスク差込槽）を設置することを特徴とする携帯用車載フリップダウン式マルチメディアプレイヤー装置としている。
請求項１０の考案は、請求項１記載の携帯用車載フリップダウン式マルチメディアプレイヤー装置において、前記マルチメディア装置は、保存装置（ハードディスク）を設置することを特徴とする携帯用車載フリップダウン式マルチメディアプレイヤー装置としている。
請求項１１の考案は、請求項１記載の携帯用車載フリップダウン式マルチメディアプレイヤー装置において、前記マルチメディア装置は、側辺に信号伝送孔（ＵＳＢコネクター、ＩＥＥＥ１３９４コネクター、メモリーカードコネクター、電源コネクター、映像コネクターもしくは音声コネクター）を設置することを特徴とする携帯用車載フリップダウン式マルチメディアプレイヤー装置としている。
請求項１２の考案は、請求項１記載の携帯用車載フリップダウン式マルチメディアプレイヤー装置において、前記マルチメディア装置は、支持片を具え、その支持片はレールを具えることを特徴とする携帯用車載フリップダウン式マルチメディアプレイヤー装置としている。
請求項１３の考案は、請求項１２記載の携帯用車載フリップダウン式マルチメディアプレイヤー装置において、前記マルチメディア装置は、電池コネクターを設置して電池で電気連接することを特徴とする携帯用車載フリップダウン式マルチメディアプレイヤー装置としている。
【考案の効果】
【００１１】
本考案の携帯用車載フリップダウン式マルチメディアプレイヤー装置は、スピーディに着脱すると同時に、車内の天井に安全で長時間固定設置されるという利点がある。
【考案を実施するための最良の形態】
【００１２】
図１及び図２は、本考案の異なる角度から見た外観分解等角表示図である。図に示すとおり、携帯用車載フリップダウン式マルチメディアプレイヤー装置は、主に車の天井面に固定するフリップダウン台１０、着脱構造３０及びマルチメディア装置２０を具える。
【００１３】
そのうち、フリップダウン台１０は、主に離脱ボタン１１、回転軸１５、嵌合部品１３及び納置空間１７を設置する。そのうち、離脱ボタン１１は、押圧桿１１１を具える。また嵌合部品１３は、嵌合端１３２を具える。他にフリップダウン台１０には納置槽１６が設置され、その納置槽１６内にはバネ１６１が設置され、嵌合部品１３上には凸槽１３１及び傾斜塊１３３が設置される。この凸槽１３１は納置槽１６外に被せされ、且つバネ１６１と接触する。またフリップダウン台１０内に手押部品１４を軸設する。この手押部品１４を凸槽１３１に設置した通孔１４２に設置し、傾斜塊１３３を押す押止端１４３を押す。このフリップダウン台１０内には、納置孔１１２が設置されて離脱ボタン１１の移動距離及びレール孔１２１を限定する。このレール孔１２１内には押さえ部品１２を設置し、その押さえ部品１２はレール孔１２１に基づいて制限し、左向きに移動し、離脱ボタン１１の位置移動を止める。別にフリップダウン台１０内に、デジタル無線信号受発信器４０を設置して無線デジタル信号を送受信する。
【００１４】
着脱構造３０は、上合わせ板３４、停止部品３３、連動部品３２、下合わせ板３１を具え、そのうち、下合わせ板３１には穿孔３１１が貫設され、両側には掛合い部３１４が設置される。また停止部品３３と連動部品３２は、下合わせ板３１と上合わせ板３４の間に設置され、下合わせ板３１と上合わせ板３４には軸孔３１２が形成され、上述の回転軸１５と相互に枢設する。別に停止部品３３には穿孔３１１内に設置する停止部３３１、並びに上滑塊３３２が設置される。連動部品３２には上述の押圧桿１１１に連動する辺桿３２１が設置され、また上滑塊３３２下方に相対する下滑塊３２２を具える。上合わせ板３４は、離脱孔３４１を具え、離脱ボタン１１の押圧桿１１１を差し込み、辺桿３２１に対応する。
【００１５】
マルチメディア装置２０正面には、液晶モニター２７が設置され、裏面には支持片２２及びコネクター納置槽２６が設置される。このコネクター納置槽２６にはコネクター(図未提示)が設置され、着脱構造３０のコネクター３１３と電器連接する。裏面両側には掛合い凹槽２３及び掛合い凸部２４を具え、裏面最上側には停止槽２５が、裏面底側には２０１を具え、更にマルチメディア装置２０側面片にはディスク差込槽２１（ＣＤ，ＶＣＤ、ＤＶＤ光ディスク差込槽）及び信号伝送孔２８（例として図６参照、ＵＳＢコネクター、ＩＥＥＥ１３９４コネクター、メモリーカードコネクター、電源コネクター、映像コネクターもしくは音声コネクターとする）を具える。
【００１６】
図３及び図４は、本考案の離脱ボタン１１と連動部品及び押さえ部品の関連性作動の表示図である。図からもわかるとおり、着脱部品３０は、上合わせ板３４、停止部品３３、連動部品３２及び下合わせ板３１を具える。そのうち、この停止部品３３と連動部品３２は、下合わせ板３１と上合わせ板３４の間に設置し、この停止部品３３両辺に各々一個の停止部３３１及び両辺に各々二個の上滑塊３３２を設置し、且つその両端上方にはそれぞれバネ３３３を具え、停止部品３３は常態時に下方に於いて連動部品３２と接触する。この連動部品３２の一端には上述の押圧桿１１１と共に動く支辺桿３２１を具え、上滑塊３３２の数に相対する下滑塊３２２は上滑塊３３２下方に対応して設置する。別に上合わせ板３４の離脱孔３４１は、離脱ボタン１１の押圧桿１１１を差込み、辺桿３２１に対応する。離脱ボタン１１が外力により押されると、連動部品３２が離脱ボタン１１に連動し、左向きに位置移動する。下滑塊３２は上滑塊３３２を上向きに押し上げて移動させ、停止部３３１を上へ作動させ、マルチメディア装置２０の停止槽２５から離れ、マルチメディア装置２０を前向きに位置移動させる。反対に離脱ボタン１１が外力受けない時には、停止部品３３はバネ３３３の力により下向きに押されて元に戻り、停止部３３１をマルチメディア装置２０の停止槽２５上に戻し、このマルチメディア装置２０は前へ移動できない。
【００１７】
図５から図９は、本考案のマルチメディア装置作動の簡単な表示図である。図に示すとおり、マルチメディア装置２０をフリップダウン台１０に設置する場合、先ずマルチメディア装置２０の掛合い凹槽２３を下合わせ板３１の掛合い部３１４に合わせ、掛合い部３１４を掛合い凹槽２３に入れると、停止部品３３はマルチメディア装置２０に押されて上へ位置移動する。そしてマルチメディア装置２０を後へ移動して掛合い部３１４と掛合い凸部２４を接合し、この時停止部３３１は停止槽２５で対応するため、下向きにマルチメディア装置２０の停止槽２５上で止まり、マルチメディア装置２０の嵌合槽２０１からフリップダウン台１０上の掛合い部品１３で対応する。この掛合い部品１３の掛合い端１３２は掛合い槽２０１と掛合いされ、マルチメディア装置２０をフリップダウン台１０の納置空間１７内でスピーディに固定される。外力で手押し部品１４を下に向けると、手押し部品１４の一端はフリップダウン台１０上に設置し、別一端の押止端１４３は下向きに移動して掛合い部品１３の傾斜塊１３３で押さえ、掛合い部品１３でバネ１６１を圧縮する。この掛合い端１３２が位置移動して掛合い槽２０１を離れ、マルチメディア装置２０が回転軸１５を回転するので、ユーザーが見やすい角度にする。
【００１８】
続いて、図１０から図１３及び図１４に示すのは、マルチメディア装置の取外し作動表示図及び、取外し後の背面表示図である。マルチメディア装置２０を外す時、先ず図３及び図４に示すとおり、離脱ボタン１１を押すと、連動部品３２が離脱ボタン１１に連動して左へ移動し、停止部品３３１を上へ作動させ、マルチメディア装置２０の停止槽２５から離す。そしてマルチメディア装置２０を前へ移動させ、掛合い部３１４を掛合い凹槽２３から外すと、着脱構造３０から分離し、マルチメディア装置２０をフリップダウン台１０の納置空間１７内から外す。
【００１９】
図１５及び図１６に示すのは、マルチメディア装置を外した後の支持片の支持状態表示図である。このマルチメディア装置２０背面には支持片２２が設置され、且つ一端はマルチメディア装置２０に軸設する。別一端を外向きに引くと、支持片２２とマルチメディア装置２０の間に角度が形成され、マルチメディア装置２０を立てる。この支持片２２内にはレール２２１を具え、ユーザーが見たい角度に調節したい時、支持片２２を下向きに引けば、支持片２２はレール２２１に沿って伸び、支持片の長さが伸びる。
【００２０】
図１７及び図１８は、マルチメディア装置を取り外した後に電池を入れた作動表示図である。マルチメディア装置２０後方に電池コネクター２９を設置し、電池回転軸５１を具えた電池５０を設置する。電池５０を入れると、電池５０がマルチメディア装置２０に利用されるか否かに係わらず、電池５０の電池回転軸５１により、マルチメディア装置２０の重量を支え、見たい角度の調整を行う。また図１９及び図２０に示すのは、マルチメディア装置をフリップダウン台及び装飾板に設置した状態等角表示図である。図に示すとおり、マルチメディア装置２０をフリップダウン台１０に設置して電池５０を入れると、電池５０を充電する。他に図２０に示すとおり、フリップダウン台１０と車の天井部（図未提示）の接合箇所に装飾板６０を設置して接合箇所の隙間を綺麗に見せる。
【図面の簡単な説明】
【００２１】
【図１】本考案の外観分解の等角表示図である。
【図２】本考案の別角度からの外観分解等角表示図である。
【図３】本考案の離脱ボタンと連動部品及び停止部品の関連性作動の表示図である。
【図４】本考案の離脱ボタンと連動部品及び停止部品の関連性作動の表示図である。
【図５】本考案のマルチメディア装置設置の作動表示図である。
【図６】本考案のマルチメディア装置設置の作動表示図である。
【図７】本考案のマルチメディア装置設置の作動表示図である。
【図８】本考案のマルチメディア装置設置の作動表示図である。
【図９】本考案のマルチメディア装置設置の作動表示図である。
【図１０】本考案のマルチメディア装置取外し作動表示図である。
【図１１】本考案のマルチメディア装置取外し作動表示図である。
【図１２】本考案のマルチメディア装置取外し作動表示図である。
【図１３】本考案のマルチメディア装置取外し作動表示図である。
【図１４】本考案のマルチメディア装置取外し後の背面表示図である。
【図１５】本考案マルチメディア装置取外し後の支持片支持状態表示図である。
【図１６】本考案マルチメディア装置取外し後の支持片支持状態表示図である。
【図１７】本考案のマルチメディア装置取外し後の電池設置の作動表示図である。
【図１８】本考案のマルチメディア装置取外し後の電池設置の作動表示図である。
【図１９】本考案マルチメディア装置をフリップダウン台に設置した等角表示図である。
【図２０】本考案フリップダウン台に装飾板を設置した等角表示図である。
【符号の説明】
【００２２】
１０        フリップダウン台
１１        離脱ボタン
１１１        押圧桿
１１２        納置孔
１２        押さえ部品
１２１        レール孔
１３        掛合い部品
１３１        凸槽
１３２        掛合い端
１３３        傾斜塊
１４        手押部品
１４２        通孔
１４３        押止端
１５        回転軸
１５２        掛合い端
１６        納置槽
１６１        バネ
１７        納置空間
２０        マルチメディア装置
２０１        嵌合槽
２１        ディスク差込槽
２２        支持片
２２１        レール
２３        掛合い凹槽
２４        掛合い凸部
２５        停止槽
２６        コネクター納置槽
２７        液晶モニター
２８        信号伝送孔
２９        電池コネクター
３０        着脱構造
３１        下合わせ板
３１１        穿孔
３１２        軸孔
３１３        コネクター
３１４        掛合い部
３２        連動部品
３２１        辺桿
３３        停止部品
３３１        停止部
３３２        上滑塊
３３３        バネ
３４        上合わせ板
３４１        離脱孔
４０        デジタル無線信号受発信器
５０        電池
５１        電池回転軸
６０        装飾板
【図１】
0003124281.tif 000003
【図２】
0003124281.tif 000004
【図３】
0003124281.tif 000005
【図４】
0003124281.tif 000006
【図５】
0003124281.tif 000007
【図６】
0003124281.tif 000008
【図７】
0003124281.tif 000009
【図８】
0003124281.tif 000010
【図９】
0003124281.tif 000011
【図１０】
0003124281.tif 000012
【図１１】
0003124281.tif 000013
【図１２】
0003124281.tif 000014
【図１３】
0003124281.tif 000015
【図１４】
0003124281.tif 000016
【図１５】
0003124281.tif 000017
【図１６】
0003124281.tif 000018
【図１７】
0003124281.tif 000019
【図１８】
0003124281.tif 000020
【図１９】
0003124281.tif 000021
【図２０】
0003124281.tif 000022